(57)【要約】【課題】雪面に限らず、芝面、砂面などを滑走する滑走遊技具であって、滑走面からプレイヤーにかかる衝撃を緩和すると共に、従来の滑走遊技具とは異なる滑り心地を得られる滑走遊技具を提供する。【解決手段】滑走遊技具１によれば、本体部２を略筒状に形成し、滑走板７と、この滑走板７の上方に位置する上方板６とをノーズ板８及びテール板９で連結したため、ノーズ８及びテール板９がクッションとしての役割を果し、プレイヤーＰの足に受ける衝撃を緩和することができる。また、プレイヤーＰの足に受ける衝撃が緩和されることにより、従来とは異なるすべり心地、感触を得ることができる。【選択図】図１
2007108380.tif 000002
【特許請求の範囲】
【請求項１】
外側端部に第一エッジを有し、斜面を滑走する滑走板と、
この滑走板の上方に位置する上方板と、
前記滑走板の一端と前記上方板の一端を連結するノーズ板と、
前記滑走板の他端と前記上方板の他端を連結するテール板と、からなり、
略筒状を呈することを特徴とする滑走遊技具。
【請求項２】
前記外側端部に第一サイドカーブを有することを特徴とする請求の範囲第１項に記載の滑走遊技具。
【請求項３】
前記滑走板の外側端部よりも外側に突出する突出部と、
この突出部の外側端部に形成され、前記第一サイドカーブの曲率よりも大きい曲率からなる第二サイドカーブと、
前記突出部の外側端部に配設される第二エッジと、を備えたブレードを、
前記滑走板の上面に当接させることを特徴とする請求の範囲第２項に記載の滑走遊技具。
【請求項４】
平面視略Ｘ形状を呈するように前記滑走板の長手方向軸に対して斜めに配設された２本のブレードを備え、前記ブレードは、
前記滑走板の上面に接触される接触部と、
前記ノーズ板側及び前記テール板側に備えられる湾曲部と、
前記上方板の下面に固着される固着部と、を有することを特徴とする請求の範囲第３項に記載の滑走遊技具。
【請求項５】
前記滑走板と前記ブレード及び前記ブレード同士が交差する箇所において、前記滑走板と前記ブレード及び前記ブレード同士の摩擦を低減させる支承部が設けられていることを特徴とする請求の範囲第４項に記載の滑走遊技具。
【請求項６】
前記滑走板と前記上方板の間に、弾性体が介設されることを特徴とする請求の範囲第５項に記載の滑走遊技具。
【請求項７】
前記滑走板の幅は、前記上方板の幅よりも狭いことを特徴とする請求の範囲第６項に記載の滑走遊技具。
【請求項８】
前記上方板は、前記滑走板に向けて窪んだ凹部を有することを特徴とする請求項１に記載の滑走遊技具。
【請求項９】
滑走板とその上方に位置する上方板の間に、平面視略Ｘ形状を呈するように前記滑走板の長手方向軸に対して斜めに配設された２本のブレードであって、
滑走板の上面に接触させる接触部と、
この接触部の両端に備えられる湾曲部と、
前記ブレードの両端を前記上方板の下面に固着させる固着部と、を有し、
前記滑走板の外側端部よりも外側に突出する突出部を設けたことを特徴とするブレード。
【発明の詳細な説明】
【技術分野】
【０００１】
本発明は、雪面、芝面などを滑走する滑走遊技具に関する。
【背景技術】
【０００２】
プレイヤーの自重により斜面を滑走する滑走遊技具としては、雪面を滑走するスノーボードが挙げられる。従来より用いられているスノーボードは、平面視略長円状に形成された一枚の板からなり、板の下面を滑走面、上面をプレイヤーが搭乗する搭乗面として使用するものである。プレイヤーは、この板に体重移動を伝達させることにより、左右のターンを行うことができる（特開２００４−１６００９５号公報参照）。
【発明の開示】
【発明が解決しようとする課題】
【０００３】
しかし、スノーボードは、ほとんどのものが一枚の板からなり、平面視略長円形状を呈するものであるため、プレイヤーが雪面から受ける感触、滑り心地等は大差のないものであった。また、雪面とプレイヤーの足の間には一枚の板しか介在していないため、雪面からプレイヤーの足に受ける衝撃は非常に大きいものであった。
本発明はかかる問題を解決するためになされたものであり、雪面に限らず、芝面、砂面などの斜面を滑走する遊技具であって、プレイヤーにかかる肉体的負担を緩和すると共に、従来の滑走遊技具とは異なる滑り心地を得られる滑走遊技具及び衝撃を緩和するために好適なブレードを提供することを課題とする。
【課題を解決するための手段】
【０００４】
外側端部に第一エッジを有し、斜面を滑走する滑走板と、この滑走板の上方に位置する上方板と、滑走板の一端と上方板の一端を連結するノーズ板と、滑走板の他端と上方板の他端を連結するテール板と、からなり、略筒状を呈することを特徴とする。【０００５】
かかる発明によれば、略筒状に形成され、滑走板と、この滑走板の上方に位置する上方板を、ノーズ板及びテール板で連結したため、ノーズ板及びテール板がクッションとしての役割を果たし、プレイヤーの足に受ける衝撃を緩和することができる。また、プレイヤーの足に受ける衝撃が緩和されることにより、従来とは異なるすべり心地、感触を得ることができる。【０００６】
また、本発明は、外側端部に第一サイドカーブを有してもよい。【０００７】
かかる発明によれば、滑走板の外側端部に第一サイドカーブを形成することにより、外側端部に配設され、カーブを有する第一エッジが滑走面を捉えるため、滑らかにターンを行うことができる。【０００８】
また、本発明は、滑走板の外側端部よりも外側に突出する突出部と、この突出部の外側端部に形成され、第一サイドカーブの曲率よりも大きい曲率からなる第二サイドカーブと、突出部の外側端部に配設される第二エッジと、を備えたブレードを、滑走板の上面に当接させてもよい。【０００９】
かかる発明によれば、ブレードは、滑走板の外側端部に設けられた第一エッジよりも、さらに外側に位置する第二エッジを備えた突出部を有する。ブレードは、滑走板の上面に当接されるため、プレイヤーが体重移動を行うと、滑走板及びブレードが傾き、突出部に配設された第二エッジが滑走面を捉える。突出部の外側端部には、滑走板の第一サイドカーブよりも大きい曲率からなる第二サイドカーブが配設されていることから、よりシャープなターンを行うことができる。プレイヤーの体重の移動加減によって、第一エッジ又は第二エッジを使い分けることができるため、バラエティーに富んだターンを行うことができる。
なお、本発明において、ブレードとは、滑走板と上方板との間に介設されて衝撃を吸収するクッションの役割を果たすと共に、滑走面と接触してターンを導く板をいう。【００１０】
また、本発明は、平面視略Ｘ形状を呈するように滑走板の長手方向軸に対して斜めに配設された２本のブレードを備え、ブレードは、滑走板の上面に接触される接触部と、ノーズ板側及びテール板側に備えられる湾曲部と、上方板の下面に固着される固着部とを備えてもよい。【００１１】
ここで、本発明の説明においては、進行方向側に左足がくるものとする。
かかる発明によれば、ノーズ板側及びテール板側に湾曲部を備えた２本のブレードが、平面視Ｘ形状を呈するように滑走板の長手軸方向に対して斜めに配設される。即ち、一方のブレードは、左足つま先側から右足かかと側に亘って配設される。また、他方のブレードは、左足かかと側から右足つま先側に亘って配設される。これにより、例えば、左足つま先側に体重を移動させると、左足つま先側の固着部及び接触部の間が圧縮されると共に、その反作用により、右足かかと側の固着部及び接触部の間が開放される。つまり、ブレードの弾性によりプレイヤーの体重移動をスムーズに行うことができる。
また、ブレードの湾曲部がクッションの役割を果たすため、よりプレイヤーの足に受ける衝撃を緩和することができる。【００１２】
また、本発明は、滑走板とブレード及びブレード同士が交差する箇所において、滑走板とブレード及びブレード同士の摩擦を低減させる支承部を設けてもよい。【００１３】
かかる発明によれば、滑走板とブレード及びブレード同士が接触する際に生じる摩擦を軽減することができるため、ブレードを滑らかに摺動させることができる。【００１４】
また、本発明は、滑走板と上方板の間に、弾性体を介設させてもよい。【００１５】
かかる発明によれば、滑走板と上方板の間に弾性体を介設することにより、滑走板と上方板のクッション性が高まることから、滑走板と上方板が受ける垂直荷重に対して柔軟に対応することができる。【００１６】
また、本発明は、滑走面の幅を、搭乗面の幅よりも狭くしてもよい。【００１７】
かかる発明によれば、滑走面との摩擦抵抗が小さくなり、滑走スピードを上げることができると共に、体重を伝達させる範囲が小さくなるため、ターンを容易に行うことができる。【００１８】
また、本発明は、上方板に、滑走板に向けて窪んだ凹部を形成してもよい。【００１９】
かかる発明によれば、プレイヤーの足の高さ位置を下げることができるため、滑走遊技具への乗り降りが容易になる。また、プレイヤーの足から滑走板までの距離が短くなるため、プレイヤーの体重移動を滑走板に伝達しやすくなり、よりスムーズに滑走することができる。【００２０】
また、本発明は、滑走板とその上方に位置する上方板の間に、平面視略Ｘ形状を呈するように滑走板の長手方向軸に対して斜めに配設された２本のブレードであって、滑走板の上面に接触させる接触部と、この接触部の両端に備えられる湾曲部と、ブレードの両端を上方板の下面に固着させる固着部と、を有し、滑走板の外側端部よりも外側に突出する突出部を設けたことを特徴とする。【００２１】
かかる発明によれば、ブレードは、滑走板と上方板の間に湾曲部を備えて介設されるため、滑走板及び上部板に加わる衝撃を緩和することができる。【００２２】
本発明によれば、雪面に限らず、芝面、砂面などを滑走する滑走遊技具において、プレイヤーの足にかかる負担を緩和すると共に、従来の滑走遊技具とは異なる滑り心地を得ることができる。
【図面の簡単な説明】
【００２３】
【図１】第一実施形態に係る滑走遊技具を示す斜視図である。
【図２】第一実施形態に係る滑走遊技具を示す側面図であり、（ａ）は、滑走遊技具の側面図、（ｂ）は、本体部の側面図、（ｃ）は、（ｂ）におけるＦ−Ｆ断面図、（ｄ）は、（ｃ）のＧ部分における拡大図である。
【図３】第一実施形態に係る滑走遊技具を示す平面図である。
【図４】第一実施形態に係る滑走遊技具を示す背面図である。
【図５】第一実施形態に係る滑走遊技具を示す図であって、ノーズ板側から見た正面図である。
【図６】第一実施形態に係るブレードを示す図であって、（ａ）は、斜視図、（ｂ）は、（ａ）のＨ−Ｈ断面図、（ｃ）は、（ｂ）のＩ部分の拡大図である。
【図７】図２のＤ−Ｄ断面図である。
【図８】図２のＥ−Ｅ断面図である。
【図９】図４のＡ−Ａ断面図である。
【図１０】図４のＢ−Ｂ断面図である。
【図１１】図４のＣ−Ｃ断面図である。
【図１２】第一実施形態に係る滑走遊技具の静止状態を示した図であって、プレイヤーの体重が垂直に作用した状態を示した正面図である。
【図１３】第一実施形態に係る滑走遊技具の動作状態を示した図であって、プレイヤーが進行方向に沿って、左足に体重を移動させた状態を示す。
【図１４】第一実施形態に係る滑走遊技具の動作状態を示した図であって、（ａ）は、プレイヤーが左足前側（つま先側）に体重移動を行った状態を示した正面図であって、（ｂ）は、プレイヤーが左足後側（かかと側）に体重移動を行った場合を示した正面図である。
【図１５】第一実施形態に係る滑走遊技具の動作状態を示した図であって、すり付け部Ｌａにおいて、中央部Ｃ方向を向いた場合の断面図である。
【図１６】第一実施形態に係る滑走遊技具の動作状況を示した図であって、ターンを行った場合の斜視図である。
【図１７】第二実施形態を示した図であって、（ａ）は、滑走遊技具を示した斜視図であり、（ｂ）は、（ａ）のＪ−Ｊ断面図である。
【図１８】第二実施形態を示した図であって、（ａ）は、図１７のＫ−Ｋ断面図であり、（ｂ）は、図１７のＬ−Ｌ断面図である。
【図１９】第三実施形態を示した斜視図である。
【図２０】第四実施形態を示した図であって、（ａ）は、滑走遊技具を示した斜視図であり、（ｂ）は、（ａ）のＶ−Ｖ断面図、（ｃ）は、本体部を示した側断面図である。
【図２１】第四実施形態に係る支承部を示した図であって、（ａ）は、斜視図、（ｂ）は、側面図である。
【図２２】第四実施形態に係る接合部を示した拡大側面図である。
【発明を実施するための最良の形態】
【００２４】
本発明の実施形態について図面を参照して詳細に説明する。説明において、同一の要素には同一の番号を付し、重複する説明は省略する。なお、説明における上下、左右、前後は、特に断りがない限り図１の矢印に従う。【００２５】
＜第一実施形態＞
図１及び図２に示すように、第一実施形態にかかる滑走遊技具１は、略長円筒状を呈する本体部２と、上層ブレード３ａ及び下層ブレード３ｂとからなるブレード３と、本体部２の上方板６及び滑走板７の間に介設されるスプリング４と、上層ブレード３ａと下層ブレード３ｂが交差する部分（中央部Ｃ）に配設される支承部５，５（図２参照）とからなる。【００２６】
本体部２は、図１及び図２に示すように、プレイヤーＰが搭乗する上方板６と、滑走面と接する滑走板７と、上方板６の左側端と滑走板７の左側端を連結するノーズ板８及び上方板６の右側端と滑走板７の右側端を連結するテール板９とからなる。本体部２は、図２の（ａ）及び（ｂ）に示すように、側面視略長円状を呈しており、垂直軸Ｚに対して略左右対称である。【００２７】
上方板６は、図３に示すように、中央にくびれＫを有する平面視略長円状であって、長手方向軸Ｘ及び幅方向軸Ｙに対して対称となるように形成されている。
上方板６の上面は、プレイヤーＰが搭乗する平坦な搭乗部１１，１１を有する。上方板６の下面は、後記するブレード３が固着されている。搭乗部１１の上面には、プレイヤーの足を固定するために、足固定具Ｔ（図１参照）が設置されている。足固定具Ｔの位置は、プレイヤーＰの身長、プレイスタイル等に合わせて適宜調節することができる。足固定具Ｔは、ビンディング等公知の技術を用いればよい。なお、くびれＫは、設けなくてもよい。【００２８】
滑走板７は、図２の（ｃ）、（ｄ）及び図４に示すように、平坦な板であって、両外側端部１３，１３には、炭素鋼からなる第一エッジ１４ａ，１４ｂが配設されている。滑走板７の上面は、後記するブレード３と接触する。また、図４に示すように、両外側端部１３，１３には第一サイドカーブＲ（例えば、サイドカーブ半径８．８ｍ）が設けられている。滑走板７の幅は、図５に示すように、上方板６の幅よりも狭く形成されている。なお、第一実施形態においては、外側端部１３に第一サイドカーブＲを設けたが、これに限定される趣旨ではなく、外側端部１３を直線に形成してもよい。【００２９】
ノーズ板８は、図１及び図２に示すように、上方板６の左側端と滑走板７の左側端を連結し、テール板９は、上方板６の右側端と滑走板７の右側端を連結する。ノーズ板８及びテール板９はそれぞれ両外側に突出するように湾曲形成されている。【００３０】
なお、第一実施形態においては、滑走板７は平板状に形成したが、これに限定されるものではなく、滑走板７の中央部を盛り上げるようにしてキャンバー（図示省略）を設けてもよい。
また、第一実施形態においては、本体部２は、長手方向軸Ｘ、幅方向軸Ｙ及び垂直軸Ｚに対して略対称となるように形成することにより、進行方向に対して左右のどちらの足が前であっても均等に対応することができる。第一実施形態においては、本体部２は、上記のように形成したが、本発明を限定される趣旨ではなく、非対称となるように形成されてもよい。
また、第一実施形態においては、ノーズ板８及びテール板９は、上記のように形成したが、これに限定される趣旨ではなく、例えば、滑走板７に対して垂直になるように形成してもよい。また、ノーズ板８、テール板９は、流線型となるように形成してもよい。【００３１】
ブレード３は、図６に示すように、平面視略Ｘ形状を呈し、上側に位置する上層ブレード３ａ、下側に位置する下層ブレード３ｂからなる。上層ブレード３ａ及び下層ブレード３ｂは、略同等の形状からなり、上方を開放させた側面視略Ｃ字状を呈する。【００３２】
以下、説明において、図１に示すように、左側にプレイヤーＰの左足が乗るものとする。
上層ブレード３ａは、図１及び図６に示すように、左足前側（つま先側）部分において上方板６の下面に固着される左足前側固着部３１と、左足前側固着部３１の下方に位置し、滑走板７の上面に接触される左足前側接触部３２と、左足前側固着部３１と左足前側接触部３２とを連結する左足前側湾曲部３３と、右足後側（かかと側）部分において上方板６の下面に固着される右足後側固着部３４と、右足後側固着部３４の下方に位置し、滑走板７の上面に接触される右足後側接触部３５と、右足後側固着部３４と右足後側接触部３５とを連結する右足後側湾曲部３６とを有する。【００３３】
下層ブレード３ｂは、図１及び図６に示すように、左足後側（かかと側）部分において上方板６の下面に固着される左足後側固着部３７と、左足後側固着部３７の下方に位置し、滑走板７の上面に接触される左足後側接触部３８と、左足後側固着部３７と左足後側接触部３８とを連結する左足後側湾曲部３９と、右足前側（つま先側）部分において上方板６の下面に固着される右足前側固着部４０と、右足前側固着部４０の下方に位置し、滑走板７の上面に接触される右足前側接触部４１と、右足前側固着部４０と右足前側接触部４１とを連結する右足前側湾曲部４２とを有する。
なお、左足前側固着部３１、右足後側固着部３４、左足後側固着部３７及び右足前側固着部４０を単に固着部ともいう。また、左足前側接触部３２、右足後側接触部３５、左足後側接触部３８及び右足前側接触部４１を単に接触部ともいう。また、左足前側湾曲部３３、右足後側湾曲部３６、左足後側湾曲部３９及び右足前側湾曲部４２を単に湾曲部ともいう。【００３４】
ブレード３は、図４及び図７に示すように、滑走板７の外側端部１３，１３よりも外側に突出した突出部４３（４３ａ〜４３ｄ）を有する。図６の（ｂ），（ｃ）に示すように、突出部４３ｂの外側端部４４ｂには、炭素鋼からなる第二エッジ４５ｂが配設されている。突出部４３ａ，４３ｃ，４３ｄにも同様にして、第二エッジ４５ａ，４５ｃ，４５ｄが配設されている。図７に示すように、突出部４３の外側端部４４（４４ａ〜４４ｄ）に形成されている第二サイドカーブｒは、滑走板７の外側端部１３，１３に形成されている第一サイドカーブＲよりも小さい半径（大きい曲率）である。ブレード３は、図７に示すように、滑走板７の中央部Ｃから左足前側接触部３２、右足後側接触部３５、左足後側接触部３８及び右足前側接触部４１の各長手方向に、ねじれを備えたすりつけ部Ｌ（Ｌａ〜Ｌｄ）を有する。【００３５】
なお、ブレード３と滑走板７の上面は、図１及び図６の（ａ）に示すように、左足前側接触部３２、右足後側接触部３５、左足後側接触部３８及び右足前側接触部４１において接触する。ブレード３は、滑走板７の上面と接触するのみであるため、滑走板７の上面を摺動することができる。【００３６】
また、図８に示すように、左足前側固着部３１、右足後側固着部３４と、左足後側固着部３７と、右足前側固着部４０は、上方板６の下面に固着されている。【００３７】
ブレード３の交差部分では、図９に示すように、上層ブレード３ａ、下層ブレード３ｂ、上方板６及び滑走板７が略平行に積層されている。上層ブレード３ａ及び下層ブレード３ｂの断面は、下方に向けて若干湾曲している。これは、ブレード３が滑走面に食い込みやすくするためのものであって、必ずしも設けるものではない。【００３８】
図１０に示すように、上層ブレード３ａ及び下層ブレード３ｂは、すり付け部Ｌｄ及びＬｂにおいて（図７参照）、略山形を呈するようにねじれ角α、βを有する。即ち、上層ブレード３ａは、上層ブレード３ａの中心における水平軸ｈから反時計回りに所定の角度でねじれている。一方、下層ブレード３ｂは、下層ブレード３ｂの中心における水平軸ｆから時計回りに所定の角度でねじれている。なお、すり付け部Ｌａ、Ｌｃにおいても同様にねじれ角を有する。【００３９】
図９に示すように、中央部Ｃにおいてねじれ角は０°である。また、図１１に示すように、接触部３５，４１においてねじれ角は０°である（接触部３２，３８においても同様）。即ち、すりつけ部Ｌａ〜Ｌｄ（図７参照）は、中央部Ｃから接触部３２，３５，３８及び４１までの略中間において、ねじれ角α、βが最大となるようにすり付けられている。また、上層ブレード３ａに係るねじれ角αは、下層ブレード３ｂに係るねじれ角βよりも大きくなるように形成されている。これは、下層ブレード３ｂに比べて、上層ブレード３ａの方が上方に位置するため、すり付けの距離が長くなることに起因するものである。ねじれ角α及びβは、０°＜α＜４５°、０°＜β＜４５°であることが好ましい。【００４０】
図１１に示すように、接触部３５，４１において、突出部４３ｂ、４３ｄに係る外側端部４４ｂと４４ｄの高さ位置は、同等となる（接触部３２，３８の外側端部４４ａと４４ｃも同様）。即ち、外側端部４４ｂの第二エッジ４５ｂから滑走面までの距離と、外側端部４４ｄの第二エッジ４５ｄから滑走面までの距離は同等となる。これにより、プレイヤーＰは、左右のターンにおいて偏りのないターンを行うことができる。【００４１】
なお、第一実施形態においては、上記のようにブレード３を配設したが、これに限定されるものではない。例えば、すり付け部Ｌは設けなくてもよい。また、例えば、接触部（３２，３５，３８及び４１）の位置において、ブレード３にねじれ角を設けてもよい（図示省略）。【００４２】
スプリング４は、図９に示すように、本体部の中央部Ｃにおいて、上方板６の下面と、上層ブレード３ａの上面の間に介設されている。スプリング４の上端及び下端には、スプリング４と、上方板６及び上層ブレード３ａを密着させるためにゴムＭが取り付けられている。第一実施形態におけるスプリング４の大きさは、直径約８ｃｍである。なお、ゴムＭは用いなくてもよい。上方板６と滑走板７の間にスプリング４を介設することにより、上方板６と滑走板７のクッション性が高まることから、上方板６と滑走板７が受ける垂直荷重に対して柔軟に対応することができる。【００４３】
なお、第一実施形態においては、上方板６と滑走板７の間に介設する弾性体としてスプリング４を用いたが、これに限定される趣旨ではない。例えば、ゴム等（図示省略）の公知の弾性体を用いてもよい。弾性体の大きさ、種類等は本体部２の大きさ、素材及びプレイヤーＰの体重、プレイスタイル等を考慮して適宜選択すればよい。また、第一実施形態においてはスプリング４を１本用いたが、これに限定されるものではなく、複数本用いてもよい。また、スプリング４の位置も限定されるものではない。【００４４】
支承部５は、図９に示すように、球体が内装されたボールトランスファーであって、ブレード３を滑らかに摺動させるものである。支承部５は、第一実施形態においては、例えば、フリーベアコーポレーション社製（フリーベア：Ｃ−８Ｓ）を使用する。
支承部５は、図２及び図９に示すように、中央部Ｃにおいて、上層ブレード３ａの下面と下層ブレード３ｂの上面の間及び下層ブレード３ｂの下面と滑走板７の上面の間の二箇所に介設されている。一方の支承部５は、支承部５に内装された球体が上層ブレード３ａの下面に接触するように形成されている。他方の支承部５は、支承部５に内装された球体が滑走板７の上面に接触するように形成されている。
ブレード３は、後記するようにプレイヤーＰの体重移動に伴って摺動するものである。従って、上層ブレード３ａと下層ブレード３ｂの交差する部分、下層ブレード３ｂと滑走板７が交差する部分に支承部５を介設することにより、ブレード３を円滑に摺動させることができる。
なお、第一実施形態においては、支承部５の球体が接触する位置において、上層ブレード３ａの下面及び滑走板７の上面には、より円滑に摺動させるために、鉄板（図示省略）が設置されている。第一実施形態においては、支承部５にボールトランスファーを用いたが、これに限定されるものではなく、接触する板同士を円滑に摺動させる公知の手段を用いればよい。【００４５】
なお、第一実施形態においては、第一エッジ１４及び第二エッジ４５は、炭素鋼を用いたが、これに限定されるものはなく、他の材料を用いもてよい。【００４６】
＜製造方法＞
次に、滑走遊技具１の製造方法について説明する。
本体部２は、弾性に富み、高強度の炭素繊維強化プラスチック（ＣＦＲＰ）からなり、一体形成される。図２の（ｃ）に示すように、第一実施形態における本体部２（炭素繊維強化プラスチック板５１）は、筒状の型枠に、市販されているプリプレグを繊維の配向方向を変えながら積層させた後に硬化させたものである。第一実施形態においては、プリプレグは、例えば、東邦テナックス製のＢｅｓｆｉｇｈｔ（登録商標）〔原糸：ＨＴＡ−１２Ｋ、エポキシ樹脂３７質量％含有〕が挙げられる。
そして、図２（ｃ）及び（ｄ）に示すように、滑走板７は、炭素繊維強化プラスチック板５１の下面にポリエチレン板５２をエポキシ樹脂系接着剤で接着させて形成されている。そして、ポリエチレン板５２の両端には、山形状に形成された炭素鋼からなる第一エッジ１４ａ，１４ｂを嵌め込み、炭素繊維強化プラスチック板５１及びポリエチレン板５２に第一エッジ１４ａ，１４ｂを圧着させる。【００４７】
なお、本体部２の素材は炭素繊維強化プラスチックに限定するものではなく、例えば、ガラス繊維強化プラスチック（ＧＦＲＰ）、アクリルニトリルブタジエンスチレン（ＡＢＳ）等であってもよい。また、樹脂製に限らず、木製、金属製等であってもよい。軽量であり、耐久性、弾性及び強度に優れる素材であることが好ましい。
また、本体部２は、第一実施形態においては、一体的に形成されたが、これに限定される趣旨ではなく、例えば、上方板６、滑走板７、ノーズ板８及びテール板９を個別に形成した後に、それぞれの板を接合してもよい。
また、本体部２は、炭素繊維強化プラスチック板５１，５１を２枚用いて、炭素繊維強化プラスチック板５１，５１の間に木板や発泡ポリウレタン等を介設させて、いわゆるサンドイッチ構造により製造してもよい。【００４８】
ブレード３は、図６の（ａ）、（ｂ）及び（ｃ）に示すように、固着部（３１，３４，３７及び４０）及び突出部４３を形成した細長の炭素繊維強化プラスチック板５１の両端を湾曲させ、上方板６の下面にエポキシ樹脂系接着剤で固着する。具体的には、上層ブレード３ａと下層ブレード３ｂの略中央を交差させて、左足前側固着部３１及び右足後側固着部３４、左足後側固着部３７及び右足前側固着部４０を上方板６の下面で固着する（図８参照）。そして、外側端部４４（４４ａ〜４４ｄ）に第二エッジ４５（４５ａ〜４５ｄ）を配設する。なお、上層ブレード３ａ及び下層ブレード３ｂの中心は、本体部２の中央部Ｃと重なることが望ましい（図７参照）。【００４９】
なお、ブレード３は、第一実施形態においては、炭素繊維強化プラスチックを用いたが、これに限定される趣旨ではなく、例えば、ガラス繊維強化プラスチック（ＧＦＲＰ）、アクリルにトリルブタジエンスチレン（ＡＢＳ）等であってもよい。また、樹脂製に限らず、木製、金属製等であってもよい。ブレード３は、軽量であり、弾性、耐久性及び強度に優れる素材であることが好ましい。また、本体部２とブレード３は、異なる素材であってもよい。【００５０】
そして、上層ブレード３ａと下層ブレード３ｂの間及び下層ブレード３ｂと滑走板７の上面の間に、支承部５，５を介設する（図２参照）。また、支承部５の球体が接触する上層ブレード３ａの下面及び滑走板７の上面に、鉄板を埋設する。なお、スプリング４及び支承部５の中心は、本体部２の中央部Ｃと重なることが望ましい。なお、第一実施形態においては、支承部５の球体と、上層ブレード３ａの下面及び滑走板７の上面を当接させているが（図９参照）、これに限定されるものではない。【００５１】
そして、上方板６と上層ブレード３ａの間に、スプリング４を介設する。スプリング４の上端と上方板６の下面及びスプリング４の下端と上層ブレード３ａの上面は第一実施形態においては、エポキシ樹脂系接着剤で固着する。なお、スプリング４は、必ずしも固着されるものではなく、スプリング４の弾性を利用して上方板６の下面と上層ブレード３ａ上面に当接するだけでもよい。【００５２】
また、ブレード３と上方板６の下面の固着方法は、第一実施形態においては、エポキシ樹脂系接着剤を用いたが、これに限定される趣旨ではない。他の接着剤を用いてもよいし、ネジ等の締結具（図示省略）を用いて両者を固着させてもいい。締結具と接着剤を併用して固着させてもよい。【００５３】
図１〜図４に示すように、第一実施形態に係る滑走遊技具１の長手方向の長さは、約１５０ｃｍ、滑走板７の下面から、上方板６の上面までの長さは約２０ｃｍである。本体部２の厚さは約１．５ｃｍである。上方板６の幅は最大約３５ｃｍで、くびれＫの部分は２５ｃｍである。滑走板７の幅は２２ｃｍである。図４に示すように、滑走板７の第一サイドカーブＲの半径は、約８．８ｍ（図４参照）であり、ブレード３の第二サイドカーブｒの半径は、約８．２ｍである。なお、第一実施形態における第一サイドカーブＲ、第二サイドカーブｒは、円弧より形成されているがこれに限定されるものではなく、二次曲線等に基づき形成されてもよい。
なお、これらの寸法は、本発明を限定するものではない。
また、上記した製造方法はあくまで例示であって、本発明を限定するものではない。【００５４】
＜動作状況＞
次に、滑走遊技具１の動作状況について説明する。なお、第一実施形態の説明においては、雪面（ゲレンデ）を滑走する場合について説明する。
滑走遊技具１は、図１に示すように、上方板６に固定された足固定具Ｔ，ＴにプレイヤーＰの足を固定し、斜面（滑走面）に向うと、プレイヤーＰの自重により滑走面を滑走するものである。第一実施形態においては、左足が滑走面の進行方向に向うものとする。
なお、第一実施形態説明において、圧縮とは、プレイヤーＰの体重が滑走板７に対して垂直に作用している場合を静止状態とすると、プレイヤーＰが体重を移動させることにより、上方板６と滑走板７の距離（固着部と接触部の距離）が静止状態よりも短くなることをいう。また、開放とは、上方板６と滑走板７の距離（固着部と接触部の距離）が静止状態よりも長くなることをいう。【００５５】
（真直ぐ滑る場合）
プレイヤーＰは、図１２に示すように、プレイヤーＰの体重を滑走板７に対して垂直に作用させることにより、真直ぐ滑ることができる。即ち、プレイヤーＰの体重が滑走板７に対して垂直に作用する場合、ブレード３に配設されている第二エッジ４５ａ、４５ｃは、滑走面Ｓと接触しないため、滑走板７の下面の略全面が滑走面と接触して真直ぐ滑ることができる。
なお、図１３に示すように、プレイヤーＰが進行方向に沿って左足に体重移動を行うと、左足側の上方板６と滑走板７の間が圧縮される（矢印５５）と共に、ブレード３の反作用により、右足側の上方板６と滑走板７の間は開放される（矢印５６）ため、体重移動をスムーズに行うことができる。【００５６】
（ターンを行う場合）
第一実施形態に係る滑走遊技具１は、図１４に示すように、プレイヤーＰが体重を移動させ、第一エッジ１４若しくは第二エッジ４５を滑走面Ｓに接触させる（食い込ませる）ことにより、ターンを行うものである。【００５７】
ここで、プレイヤーＰが進行方向に対して右にターンする場合について説明する（図１６の矢印６２方向）。
プレイヤーＰが、左足前側（つま先側）に体重を移動させると、図１４の（ａ）に示すように、左足前側（つま先側）における上方板６及び滑走板７の間が圧縮される（矢印５７）と共に、上方板６及び滑走板７の後側（かかと側）が解放され（矢印５８）、滑走遊技具１が全体的に角度γ傾き第一エッジ１４ａが滑走面Ｓを捉える。
また、このとき、上層ブレード３ａの突出部４３ａが体重移動方向に押し出されるため、第二エッジ４５ａが滑走面Ｓに食い込み、よりシャープにターンを行うことができる。【００５８】
即ち、プレイヤーＰが、左足前側（つま先側）に体重を移動させると、左足前側固着部３１と左足前側接触部３２の間が圧縮されると共に、その反作用として、右足後側固着部３４と右足後側接触部３５の間が開放される（図６参照）。この際、上層ブレード３ａの左足前側固着部３１と右足後側固着部３４は、上方板６の下面に固着されているが、左足前側接触部３２と右足後側接触部３５は、滑走板７の上面と接触しているだけであるため、突出部４３ａはプレイヤーＰの体重移動に伴って摺動する。
そして、図１５に示すように、上層ブレード３ａの左足前側固着部３１と左足前側接触部３２（図６参照）の間が圧縮されると、上層ブレード３ａは、すり付け部Ｌａに設けられたねじれにより、矢印６０方向に回転する。上層ブレード３ａは、両端を左足前側固着部３１と右足後側固着部３４で固着されているため、突出部４３ａは滑走板７の上面と摺動して体重移動方向に押し出される（矢印６１）。これにより、図１４の（ａ）に示すように、突出部４３ａに備えられている第二エッジ４５ａが、滑走面Ｓに食い込む。【００５９】
なお、この際、中央部Ｃにおける上層ブレード３ａ、下層ブレード３ｂ及び支承部５，５は、後側（かかと側）に向かって摺動する。即ち、静止状態では、図９に示すように、上層ブレード３ａ、下層ブレード３ｂ及び支承部５，５のそれぞれの中心は、中央部Ｃと略重なる。しかし、プレイヤーＰが左足前側（つま先側）に体重を移動させることにより、上層ブレード３ａ、下層ブレード３ｂ及び支承部５，５は、かかと側に押し出されるように摺動する。【００６０】
また、図１６に示すように、左足前側（つま先側）に体重を移動させると、右足のつま先側にも負荷がかかるため、右足前側固着部４０と右足前側接触部４１の間が圧縮される（矢印５９）。あくまで、プレイヤーＰの体重は左足前側にかかっているため、右足前側固着部４０と右足前側接触部４１の間よりも、左足前側固着部３１と左足前側接触部３２の間方が圧縮されている。突出部４３ｄは、上記した４３ａと略同様の作用により、プレイヤーＰの移動に伴って摺動すると共に、滑走面Ｓに向って押し出されるため、第二エッジ４５ｄが滑走面Ｓに食い込む（矢印６３）。【００６１】
以上より、突出部４３ａに配設された第二エッジ４５ａと滑走板７に配設された第一エッジ１４ａと突出部４３ｄに配設された第二エッジ４５ｄが滑走面を捉える。また、第二エッジ４５ａ，４５ｄを備える突出部４３ａ，４３ｄには、滑走板７の第一サイドカーブＲよりも小さい半径の第二サイドカーブｒ（図７参照）が備えられているため、プレイヤーＰは、よりシャープにターンを行うことができる。
また、突出部４３ａ，４３ｄがプレイヤーＰの体重移動に伴って滑走面Ｓ方向に押し出されるため、ターンを行っている間に、第二エッジ４５ａ，４５ｄが滑走面Ｓの衝撃に弾かれることなく、滑走面Ｓに接触し続けることができる。
また、プレイヤーＰは、矢印６２の方向にターンを行いながら、右足の前側（つま先側）に体重を移動させると（大きい負荷をかけると）、突出部４３ｄに配設されたエッジ４５ｄが滑走面Ｓにさらに食い込むため、鋭いターンができると共に、制動することができる。【００６２】
なお、上記と逆にターンしたい場合は、図１４の（ｂ）に示すように、左足後側（左足かかと側）に体重を移動させて、ターンすることができる。
また、右足前側（つま先側）及び右足後側（かかと側）に体重を移動させても、同様の動作を行うことができる。【００６３】
また、プレイヤーＰは、プレイヤーＰの体重の移動加減によって、第一エッジ１４又は第二エッジ４５を使い分けることができるため、バラエティーに富んだターンを行うことができる。【００６４】
また、プレイヤーＰが、左足前側（左足のつま先側）に体重を移動させると、図１４（ａ）に示すように、前側の上方板６と滑走板７の間が圧縮される（矢印５７）と同時に、後側（かかと側）の上方板６と滑走板７が開放される（矢印５８）。このとき、ブレード３は、図６に示すように、平面視略Ｘ形状に配設されているため、左足前側固着部３１と左足前側接触部３２の間が圧縮されると共に、その反作用として、右足後側固着部３４と右足後側接触部３５の間が開放され、長手方向軸の斜め方向に対して体重移動をスムーズに行うことができる。【００６５】
第一実施形態に係る滑走遊技具１によれば、本体部２を略筒状に形成し、滑走板７とこの滑走板７の上方に位置する上方板６をノーズ板８及びテール板９で連結することにより、ノーズ板８及びテール板９がクッションとしての役割を果たすため、プレイヤーＰの足に受ける衝撃を緩和することができる。また、プレイヤーＰの足に受ける衝撃が緩和されることにより、従来とは異なるすべり心地、感触を得ることができる。【００６６】
また、滑走遊技具１は、滑走板７の外側端部１３に第一サイドカーブＲが形成されているため、第一エッジ１４がこの第一サイドカーブＲに沿って滑走面Ｓを捉えるため滑らかにターンを行うことができる。【００６７】
また、ブレード３は、滑走板７の外側端部１３に設けられた第一エッジ１４よりも、さらに外側に位置する第二エッジ４５を備えた突出部４３を有する。ブレード３は、プレイヤーＰが体重移動を行うと、体重移動方向にブレード３が摺動し、突出部４３に配設された第二エッジ４５が滑走面Ｓを捉える。突出部４３の外側端部４４には、滑走板７の第一サイドカーブＲよりも大きい曲率からなる第二サイドカーブｒが配設されていることから、よりシャープなターンを行うことができる。【００６８】
また、滑走遊技具１は、平面視Ｘ形状を呈するように、滑走板７の長手方向軸Ｘに対して斜めに２本の上層ブレード３ａ、下層ブレード３ｂが設けられるため、例えば左足前側（つま先側）に体重をかけると、左足前側固着部３１と左足前側接触部３２の間が圧縮されると同時に、その反作用として、右足後側固着部３４と右足後側接触部３５の間が開放され、プレイヤーＰの体重移動をスムーズに行うことができる。また、ブレード３も湾曲部を有することから、よりクッション性を高めることができる。【００６９】
また、滑走遊技具１は、支承部５を有するため、接触する滑走板７とブレード３に生じる摩擦を軽減することができ、ブレード３を滑らかに摺動させることができる。【００７０】
また、滑走遊技具１は、上方板６と滑走板７の間にスプリング４を介設することにより、上方板６と滑走板７のクッション性が高まることから、上方板６と滑走板７が受ける垂直荷重に対して柔軟に対応することができる。【００７１】
また、滑走板７の幅は、上方板６の幅よりも狭いため、滑走板７との摩擦抵抗が小さくなり、滑走スピードが増すと共に、体重移動の可動範囲が小さくなるため、ターンを容易に行うことができる。【００７２】
以上、本発明に係る実施形態について図面を参照して詳細に説明したが、本発明はこれに限られるものではなく、本発明の趣旨を逸脱しない範囲において適宜変更可能である。【００７３】
＜第二実施形態＞
例えば、図１７に示すように、滑走遊技具７１は、略筒状に形成された本体部７２と、ブレード７３と、中央に介設されたスプリング７４と、ブレード７３と滑走板８２の間に介設された支承部（図示省略）とからなる。
第一実施形態に係るブレード３は２本の板を組み合わせて形成されたが、第二実施形態に係るブレード７３は、図１７の（ａ）及び（ｂ）に示すように、中央部Ｗと、中央部Ｗから平面視略Ｘ形状を呈するように延出させた足部７６（７６ａ〜７６ｄ）からなる。【００７４】
ブレード７３は、足部７６を湾曲させて形成された湾曲部７８（７８ａ〜７８ｄ）を有し、足部７６の先端部７７（７７ａ〜７７ｄ）は、上方板７９の下面に固着されている。ブレード７３には、図１７の（ｂ）に示すように、滑走板８２の外側端部８３（点線部分）よりも外側に突出した突出部８５（８５ａ〜８５ｄ）が備えられている。また、突出部８５の外側端部８６（８６ａ〜８６ｄ）には、滑走板８２の外側端部８３に備えられた第一サイドカーブＲの半径よりも小さい半径からなる第二サイドカーブｒを有する。また、突出部８５の外側端部８６（８６ａ〜８６ｄ）には、第二エッジ８４（８４ａ〜８４ｄ）が設けられている。
図１８の（ａ）に示すように、図１７（ｂ）のＫ−Ｋ断面におけるブレード７３の足部７６ｂ及び足部７６ｄは、略山形に形成されている。また、図１８の（ｂ）に示すように、足部７６ｂ及び７６ｄと滑走板８２の上面が接触する部分においては足部７６ｂ及び足部７６ｄは水平である。
なお、製造方法及び動作は第一実施形態と略同等であるため省略する。【００７５】
第二実施形態によれば、ブレード７３は、中央部Ｗから平面視Ｘ形状を呈するように、足部７６が延出している。即ち、一枚の板からブレード７３が形成されているため、第一実施形態の上層ブレード３ａ、下層ブレード３ｂのようにブレード間に高さが生じることがない。従って、ブレード７３の足部７６ａ〜７６ｄを均等にすり付ける作業が容易となる。【００７６】
＜第三実施形態＞
第一実施形態及び第二実施形態は、滑走遊技具１，７１の長手方向に対して略直角になるように、プレイヤーＰの足を固定させたが、これに限定される趣旨ではない。例えば、図１９に示すように、滑走遊技具９０，９０のそれぞれにプレイヤーＰの足を片足ずつ固定させてもよい。その際、プレイヤーＰの足は滑走遊技具１の長手方向に対して平行となるように固定される。
滑走遊技具９０は、第三実施形態においては、上方板９１及び滑走板９２を有する本体部９３と、ブレード９４、スプリング９５、支承部（図示省略）からなる。上方板９１及び滑走板９２の幅は、プレイヤーＰの足の幅よりもやや広く形成されている。滑走遊技具９０の長手方向の長さは、上記した滑走遊技具１よりも短く形成されており、約１００ｃｍである。プレイヤーＰの足は、スプリング９５の略上方に固定される。
なお、製造方法及び動作は第一実施形態と略同等であるため省略する。【００７７】
なお、第三実施形態においては、滑走遊技具９０を上記のように形成したが、これに限定される趣旨ではなく、プレイヤーＰの身長、プレイスタイルに応じて滑走遊技具９０の長さ、幅等を適宜決定すればよい。【００７８】
＜第四実施形態＞
第四実施形態に係る滑走遊技具１１０は、図２０に示すように、上方板１１６の構造及び支承部１３０の構造において他の実施形態と相違する。
滑走遊技具１１０に係る上方板１１６には、図２０の（ａ）及び（ｃ）に示すように、中央部Ｃから略等間隔に離間した凹部１２０，１２０が形成されている。凹部１２０は、図２０の（ｃ）に示すように、上方板１１６の一部を滑走板１１７側に向けて窪ませて形成されている。凹部１２０の底面は、平坦に形成されており、足固定具Ｔを介してプレイヤーＰの足が固定される。【００７９】
このように上方板１１６に凹部１２０を設けることで、プレイヤーＰの足の高さ位置を下げることができるため、滑走遊技具１１０への乗り降りが容易になる。また、プレイヤーＰの足から滑走板１１７までの距離が短くなるため、プレイヤーＰの体重移動を滑走板１１７に伝達しやすくなり、よりスムーズに滑走することができる。なお、上方板１１６の中央部Ｃにおいては、図２０の（ｂ）に示すように、上方板１１６の両端が下方に湾曲するように形成してもよい。【００８０】
なお、第四実施形態においては、図２０の（ｃ）に示すように、中央部Ｃにおける上方板１１６の高さは、凹部１２０の底面よりも高い位置になっているが、これに限定されるものではない。例えば、一の凹部１２０を形成して、中央部Ｃと凹部１２０の底面の位置を同等となるように形成してもよい。また、凹部１２０の形状は他の形状であってもよい。【００８１】
第四実施形態に係る支承部１３０は、図２０の（ｂ）及び図２１の（ａ）に示すように、下層ブレード１１３ｂに形成された貫通孔１３１に貫通するとともに、滑走板１１７と上層ブレード１１３ａの間に設置されている。
支承部１３０は、上下に接触して設置された回転体１３２と、回転体１３２に挿通された回転軸１３３と、回転軸１３３が挿通されたＴ型金具１３４と、Ｔ型金具１３４と下層ブレード１１３ｂとを接合する接合部１３５とを有する。【００８２】
回転体１３２は、下方に位置する第一回転体１３２ａと上方に位置する第二回転体１３２ｂとからなり、それぞれ同一の直径からなる硬質ゴム製の球体である。第一回転体１３２ａは、下端が滑走板１１７に接触されており、上端が第二回転体１３２ｂに接触されている。また、第二回転体１３２ｂは、下端が第一回転体１３２ａに接触されており、上端が上層ブレード１１３ａに接触されている。【００８３】
回転軸１３３は、第一回転体１３２ａ及び第二回転体１３２ｂの中心にそれぞれ挿通される第一回転軸１３３ａ及び第二回転軸１３３ｂとからなる。第一回転軸１３３ａ及び第二回転軸１３３ｂの軸方向は、滑走遊技具１１０の長手方向と平行であって、かつ、水平に形成されている。回転軸１３３の両端はネジ溝が形成されており、ナット１３３ｃで留め付けられている。【００８４】
Ｔ型金具１３４は、一対の第一Ｔ型金具１３４ａ及び第二Ｔ型金具１３４ｂからなり、回転体１３２を軸支するとともに、接合部１３５を介して下層ブレード１１３ｂに接合されている。Ｔ型金具１３４は、図２２に示すように、長孔１３６，１３６が穿設された基板部１３７と、基板部１３７から垂直に形成された張出し部１３８とを有する。長孔１３６は、上下に延在された断面視長丸形状を呈し、基板部１３７に二箇所穿設されている。長孔１３６は、回転軸１３３に挿通され、回転軸１３３が長孔１３６内で上下に移動可能に形成されている。即ち、回転軸１３３の軸径は、長孔１３６の孔幅よりも小さく形成されるとともに、回転軸１３３の両端に設置されたナット１３３ｃは、基板部１３７から離間した位置で留め付けられている。張出し部１３８は、滑走遊技具１１０の長手方向に平行に延設されており、接合部１３５によって下層ブレード１１３ｂに接合されている。【００８５】
接合部１３５は、図２２に示すように、Ｔ型金具１３４と下層ブレード１１３ｂを接合する部分である。接合部１３５は、張出し部１３８と下層ブレード１１３ｂに連通する連通孔に吸収材１４０が挿通されており、ワッシャ１４１を介してボルト１４２とナット１４３で締結されている。吸収材１４０は、ボルト１４２が挿通される中空部を有する円筒形状を呈すると共に、中央部分が内側にくびれた形状に形成されている。即ち、吸収材１４０の両端側は、中央部分よりも肉厚に形成されている。吸収材１４０は、例えば、公知のゴムブッシュを用いる。吸収材１４０を用いることで、支承部１３０に作用する荷重を吸収するとともに、長手方向の移動を許容するものである。また、吸収材１４０の両端側が中央部分よりも肉厚に形成されているため、作用する荷重に対して柔軟に対応することができる。【００８６】
かかる支承部１３０によれば、プレイヤーＰが前後方向（つま先側またはかかと側）に体重移動を行うと、第一回転体１３２ａ及び第二回転体１３２ｂが接触しながら回転軸１３３を軸に回転するため、上層ブレード１１３ａ及び下層ブレード１１３ｂが幅方向に円滑に摺動する。また、吸収材１４０が挿通されているため、支承部１３０に作用する荷重を吸収するとともに、上層ブレード１１３ａ及び下層ブレード１１３ｂの長手方向への動きを許容する。これにより、第一実施形態に係る滑走遊技具１と同じようにプレイヤーＰの体重移動により、上層ブレード１１３ａ及び下層ブレード１１３ｂの第二エッジを滑走面に食い込ませることができるため、シャープにターンすることができる。【００８７】
ここで、仮に、回転軸１３３がＴ型金具１３４に固定されていると、第一回転体１３２ａ及び第二回転体１３２ｂが磨耗し、両者の間に隙間ができてしまい、空転する可能性がある。しかし、第四実施形態においては、長孔１３６が形成されているため、回転軸１３３が長孔１３６内を上下に移動する。これにより、プレイヤーＰの荷重が上方板１１６に作用すると、第一回転体１３２ａ及び第二回転体１３２ｂが常に接触するため、空転を防止することができる。【００８８】
なお、第四実施形態においては、前記した支承部１３０を用いたが、他の形態であってもよい。例えば、回転体１３２は、球体としたが、例えば楕円球形状としてもよい。また、Ｔ型金具１３４は、一対の金具を用いたが、一体的に形成してもよい。また、吸収材１４０の形状、材質は、プレイヤーＰのプレイスタイルに合わせて適宜設定すればよい。また、長孔１３６と回転軸１３３との磨耗を防ぐため、長孔１３６の内部の形状に沿って緩衝材を設けてもよい。【００８９】
以上、本発明に係る実施形態について説明したが、これに限定されるものではなく本発明の趣旨を逸脱しない範囲において、適宜変更が可能である。また、使用用途は遊技だけでなく、他の用途に用いてもよい。
第一実施形態及び第二実施形態においては、滑走遊技具１をスノーボードと略同じ形態で使用するものであったが、例えば、滑走遊技具１の上方板６の上に、物または人を乗せるのに好適な箱状体等を設置して、そりと同じ形態で使用してもよい。このような場合を図１６を用いて説明すると、上方板６の上に設置した箱状体（図示省略）にプレイヤーが乗り、体重を移動させることで、第一実施形態と略同等の動作により、滑走遊技具１を操作することができる。【００９０】
さらに、箱状体に物（人も含む）を載せてノーズ板８側（図１参照）から牽引してもよい。例えば、図１６の矢印６２側から牽引すると、箱状体に載せた物の荷重が、牽引方向又は滑走面Ｓの変化に応じてブレード３に作用する。これにより、ブレード３が摺動し、牽引方向に係る第二エッジ４５ａが滑走面Ｓを捉えるため、滑走遊技具１は、牽引方向に滑らかに追従することができる。また、滑走遊技具１は、突出部４３を備えているため、急な操作による転倒を防止することができる。【００９１】
また、本発明に係る滑走遊技具は、例えば、ブレード３、スプリング４及び支承部５を用いず本体部２のみで構成されてもよい（図２の（ｂ）参照）。これにより、滑走遊技具を構成する部材を極力減らすことで滑走遊技具が軽量となるため、エアー系の遊技に対しても順応することができる。【００９２】
また、本発明に係る滑走遊技具は、第一実施形態の説明においては、雪面を滑走する場合について説明したが、これに限定されるものではなく、例えば、芝面、砂面又は水面なども滑走することができる。【００９３】
また、ブレード３は、第一実施形態の説明においては、滑走遊技具１に用いたが、これに限定されるものではなく、他の構造体に設けることもできる。
【図１】
2007108380.tif 000003
【図２】
2007108380.tif 000004
【図３】
2007108380.tif 000005
【図４】
2007108380.tif 000006
【図５】
2007108380.tif 000007
【図６】
2007108380.tif 000008
【図７】
2007108380.tif 000009
【図８】
2007108380.tif 000010
【図９】
2007108380.tif 000011
【図１０】
2007108380.tif 000012
【図１１】
2007108380.tif 000013
【図１２】
2007108380.tif 000014
【図１３】
2007108380.tif 000015
【図１４】
2007108380.tif 000016
【図１５】
2007108380.tif 000017
【図１６】
2007108380.tif 000018
【図１７】
2007108380.tif 000019
【図１８】
2007108380.tif 000020
【図１９】
2007108380.tif 000021
【図２０】
2007108380.tif 000022
【図２１】
2007108380.tif 000023
【図２２】
2007108380.tif 000024
【国際調査報告】
2007108380.tif 000025
2007108380.tif 000026
2007108380.tif 000027
2007108380.tif 000028
2007108380.tif 000029
2007108380.tif 000030
2007108380.tif 000031
2007108380.tif 000032